(57)【要約】【課題】自動紙送り器給紙感知機構の構造を提供する。【解決手段】  本考案は主に台座を含み、台座の上に支えを固定する。支えに信号発生器アセンブリーを設置し、信号発生器アセンブリーは固定台を含む。固定台の上に紙押さえアームを具有し、紙押さえアームは湾曲した形の紙押さえ部を具有し、紙押さえ部に感応器固定槽を設置する。感応器固定槽の中に給紙感応器を固定し、給紙感応器は発光部及び感光部を含む。給紙感応器と給紙信号処理器は電気で接続する。台座の給紙感応器の下部に黒色区域を設置し、固定台の紙押さえ部が該黒色区域の上を押さえる。本考案の自動給紙感知機構の構造がシンプルであり、製造コストを下げることができる。また、給紙状況の感知機能の性能を更に安定なものにした。【選択図】  図4
0003137451.tif 000002
【実用新案登録請求の範囲】
【請求項１】
本体及び信号発生器アセンブリーを含み、
該本体は取紙ルートを具有し、
該信号発生器アセンブリーは本体に設置し、該信号発生器アセンブリーは固定台を含み、固定台に給紙感応器を設け、給紙感応器を取紙ルートの上に設置することを特徴とする自動紙送り器給紙感知機構。
【請求項２】
前記本体は支えスタンドを含み、前記固定台を該支えスタンドに設置し、固定台は紙押さえアームを具有し、該紙押さえアームに紙押さえ部を具有し、紙押さえ部に感応器固定槽を設け、前記給紙感応器を該感応器固定槽の中に設置することを特徴とする請求項1記載の自動紙送り器給紙感知機構。
【請求項３】
前記固定台の紙押さえアームに円柱体を連結し、円柱体より二つのピボットブロックを延伸し、うち一つの軸ブロックよりピボットを延伸し、別端の軸ブロックよりピボット柱を延伸し、軸柱より短軸ピボットを延伸し、該短軸及び軸は同じ軸芯を共有し、信号発生器アセンブリーは該二つの軸を介し、支えに設置することを特徴とする請求項2記載の自動紙送り器給紙感知機構。
【請求項４】
前記円柱体及び軸柱より長方形の逸脱防止支えブロックを延伸し、逸脱防止支えブロックの軸柱側より逸脱防止土台ブロックを延伸し、逸脱防止土台ブロックより逸脱防止ブロックを延伸することを特徴とする請求項3記載の自動紙送り器給紙感知機構。
【請求項５】
前記固定台の円柱体の別端の軸よりねじりばね軸を延伸し、ねじりばね軸の外端よりねじりばねブロックを延伸し、ねじりばねブロックの上にねじりばね端部挿入穴を設け、及び、
支えスタンドの上に発生器耳を設け、発生器耳の片側にねじりばねフック穴を設け、及び、
固定台のねじりばね軸の上にねじりばねを設置し、ねじりばねの片端を固定台のねじりばね端部挿入穴に挿入し、ねじりばねの別端を支えスタンドのねじりばねフック穴に引っ掛けることを特徴とする請求項3記載の自動紙送り器給紙感知機構。
【請求項６】
前記給紙感応器は発光部及び感光部を含み、給紙感応器と給紙信号処理機は電気接続し、
前記本体は支えスタンドを固定する台座を含み、台座に黒色区域を設け、前記固定台の紙押さえ部は、該台座にある黒色区域を押さえることを特徴とする請求項2記載の自動紙送り器給紙感知機構。
【考案の詳細な説明】
【技術分野】
【０００１】
本考案は自動紙送り器の構造に関し、特にプリンター、スキャナー、コピー機及びファックスなどのオフィス設備に使用される自動紙送り器給紙感知機構に関する。
【背景技術】
【０００２】
図1〜図3が示すように、従来の自動紙送り器は紙を取る場所に紙表面の質量を感知する紙質量感応器150’を設置する。該紙質量感応器150’は紙の光に対する反射の強さを利用し、紙1’の表面の粗さなどを判断することで、コピー機、ファックスなどのオフィス設備が紙に対する処理効果をアップする。自動取紙器は更に紙1’がオフィス設備の給紙感知器に進入したか否かを感知する。該給紙感知器は台座110’及び支え120’を含む。支え120’の上に紙送り感応器180’を設け、該紙送り感応器180’と信号処理機(図に未掲載)は互いに接続する。支え120’の上に揺動台170’を設け、アーム台170’に動力アーム171’及び揺動アーム172’を具有する。支えスタンド120'と揺動台170’の間に、揺動台170’がバランスを保つためのねじりばね190’を設置し、揺動台170’自身の重さとねじりばね190’のひねる力でバランスが保たれる。紙1’が進入する際、揺動台170’の動力アーム171’を押し、動力アーム171’は揺動アーム172’を動かす。紙送り感応器180’は揺動アーム172’の位置の変化を感知し、電気信号を信号処理機に発する。信号処理機は紙1’がオフィス設備に進入したか否かを判断する。
【０００３】
従来の自動紙送り器は紙の表面質量を感知する紙質量感応器150’と、紙がオフィス設備内に進入したか否かを感知する給紙感知器を別々に設置しているため、自動紙送り器の部品は多い上に複雑な構造となり、製造が困難且つコストが高い。また、アーム台170’はねじりばね190’のひねる力を頼りに自分自身の重さとバランスを保つため、外部よりの震動により、揺動台170’の揺動アーム172’が動きやすく、給紙感知器が自動紙送り器に紙が入ったと誤認することもあり、自動紙送り器など全てのオフィス設備の誤作動を招く。また、揺動台170’の動力アーム171’及び揺動アーム172’の動くスペースを残す必要があるため、台座110’の上に動力アーム171’が動くための溝111’を設置するため、台座110’の構造も複雑となり、改善する必要があった。
【特許文献１】特開２００５−４１６９７号公報
【考案の開示】
【考案が解決しようとする課題】
【０００４】
前記従来構造の欠点を解決するために、必要とする部品を少なくし、構造が簡単且つ、製造コストを下げ、作動が正確及び誤作動を避けることのできる自動紙送り器給紙感知機構を提供することを主な課題とする。
【課題を解決するための手段】
【０００５】
前記課題を達成するために、本考案の自動紙送り器給紙感知機構に含まれるのは本体であり、本体に取紙ルートを具有する。信号発生器アセンブリーを本体に設置する。信号発生器アセンブリーは固定台を含み、固定台の上に給紙感応器を設け、給紙感応器を取紙ルートの上に設置する。
【０００６】
本考案の自動紙送り器給紙感知機構の、固定台の上に設置する給紙感応器が従来技術の別々に設置する紙質量感応器と給紙感知器の代わりであり、固定台はアーム台の代わりとすることで、構造をシンプルにし、製造コストを低くする。給紙感応器が紙の進入を感知するとき、紙と取紙ルートの背景区域の違いにより判断を行う。従来技術のようにムーブアームの動きに頼るのではないため、誤作動がなくなる。
【考案の効果】
【０００７】
従来技術の別々に設置するペーパー質量感応器と給紙感知器の代わりに、固定台の上に給紙感応器を設置することで、構造をシンプルにし、製造コストを低くする。また、給紙感応器が紙の進入は、紙と取紙ルートの背景区域の違いにより判断を行うため、誤作動がなくなる。また、反射する光の強さにより、紙の進入を判断すると同時に、紙の質量を確定し、様々な紙の質に相応する処理を行うことができる。
【考案を実施するための最良の形態】
【０００８】
本考案による自動紙送り器給紙感知機構の構造を明確に示すために図に沿って詳細な説明を行う。図4が示すように、自動紙送り器給紙感知機構は本体を含み、本体の上に取紙ルート200及び紙回転ルート300を形成する。本体に台座110及び台座110に固定する支えスタンド120を具有する。支えスタンド120の上に信号発生器アセンブリー150を設置する。
【０００９】
図5が示すように、支えスタンド120はプレートを折り曲げて作った構造である。支えスタンド120の側面を湾曲して延伸する二つの発生器耳121を具有し、二つの発生器耳の上にそれぞれ発生器穴122を設ける。支えスタンド120の上に、一つの発生器耳121の片側にねじりばねフック通り穴124及び、ねじりばねフック通り穴124の上にねじりばねフック穴123スを設置する。
【００１０】
図7及び図8が示すように、信号発生器アセンブリー150は固定台151を含み、固定台151は円柱体157を具有し、円柱体157の片端より円柱形のねじりばね軸152を延伸する。ねじりばね軸152の外部端よりねじりばねブロック153を延伸し、ねじりばねブロック153の上にねじりばね端部挿入穴154を設ける。円柱体157の別端と中央部分にピボットブロック155を延伸する。円柱体157中央部分のピボットブロック155の上にピボット156を延伸する。円柱体157の別端にあるピボットブロック155よりピボット柱165を延伸し、ピボット柱165より短ピボット169が延伸し、該短ピボット169はピボット156と同じ軸芯である。円柱体157より延伸したピボットブロック155の片端より長方形の逸脱防止支えブロック166を延伸し、該逸脱防止支えブロック166よりピボット柱165側に逸脱防止土台ブロック167を延伸し、逸脱防止土台ブロック167より逸脱防止ブロック168を延伸する。円柱体157は、ピボット156及び短ピボット169の間より、紙押さえアーム158を延伸し、紙押さえアーム158の端部分に湾曲状を呈す紙押さえ部159を具有し、紙押さえ部159に感応器固定槽161を設ける。感応器固定槽161の中に給紙感応器162を固定し、給紙感応器162は発光部163及び感光部164を含み、給紙感応器162と給紙信号処理機(図に未掲載)は電気接続をしている。
【００１１】
図4〜図7に示すように、信号発生器アセンブリー150はピボット156及び短ピボット169を支えスタンド120の発生器穴122と嵌合し、逸脱防止ブロック168により信号発生器アセンブリー150が支えスタンド120の発生器穴122から逸脱するのを防止する。支えスタンド120の発生器穴122に信号発生器アセンブリー150を設置する際、発生器耳121及び逸脱防止支えブロック166に具有する弾力性を利用する。台座110の給紙感応器162の下部に黒色区域を設置し、固定台151の紙押さえ部159は該黒色区域の上に押さえる。
【００１２】
図4及び図5、図8が示すように、固定台151のねじりばね軸152の上にねじりばね190を設置し、ねじりばね190の片端を固定台151のねじりばね端部挿入穴154の中に挿入する。ねじりばね190の別端よりフック191を延伸し、該フック191は支えスタンド120のねじりばねフック通り穴124を通り、ねじりばねフック穴123に引っ掛ける。固定台151自身の重さは該ねじりばね190が分担するため、該紙押さえ部分159は軽く通る紙1の上を押さえ、紙1が通らない時は、軽く台座110の上の黒色区域を押さえる。
【００１３】
本考案の自動紙送り器給紙感知機構は、紙1の進入がないとき、給紙感応器162の発光部163より発する光は、台座110の上にある黒色区域が吸収した後、微弱な光のみ感光部164に反射する。感光部164は相応する電気信号を発して給紙信号処理器に伝達し、給紙信号処理機は紙1の進入がないと判断する。紙1が取紙ルート200を通るとき、紙1の端が固定台151の紙押さえアーム158を押し上げ、紙押さえ部159の下部を滑り通る。紙1が給紙感応器162の下にたどりついたとき、給紙感応器162の発光部163の発する光は、紙1で反射してから感光部164に入る。紙1の表面質量が異なるため、反射する光線の強弱及び該強弱の分布状況も異なる。感光部164は紙1の表面質量と相応する電気信号を発し、給紙信号処理機に伝達する。給紙信号処理機は紙1の進入を感知し、同時に紙1の表面質量を確認する。紙1の表面質量に基づき、紙1に対する処理(インクの量)など、様々な定数を確定する。オフィス設備が紙1の一面の処理を完成し、再び紙1を後退させ、固定台151の紙押さえアーム158を押し上げ、紙押さえ部159の下よりすべり出ることができる。紙1は紙回転ルート300で回転し、再び固定台151の紙押さえ部159の下を通るとき、該自動紙送り器給紙感知機構は再び元の給紙感知過程に戻る。
【００１４】
本考案の自動紙送り器給紙感知機構は、固定台151の上に設置する給紙感応器162で紙1がオフィス設備に入ったか否かを感知すると同時に、紙1の表面質量を確定する。公知技術のそれぞれに設置する紙質量感応器150’及び給紙感知器の代わりであり、自動紙送り器給紙感知機構の構造をシンプルにし、製造コストを下げる。給紙感応器162で紙1が入ったか否かを感知するのは、紙1の反射に基づくものであり、従来技術のように揺動アーム172’の動きによるものではないため、紙1の進入状況を更に正確に感知することができる。また、台座110’の上に動力アームが動くための溝111’を設置する必要もなくなる。
【００１５】
以上の実施例による本考案の詳細な説明は本考案の範囲を制限するものではない。固定構造の変更及び調整を行うことができ、これらの変更および調整を行っても本考案の重要な意義は失われず、本考案の範囲に含まれる。例えば、台座110にある黒色区域の代わりに高い光反射能力を具有する光反射シート或いは光反射層を使用することができる。この時、給紙信号処理器の“紙有り”及び“紙無し”の認定基準を新たに設定しなおす必要がある。固定台151の紙押さえ部159が台座110の黒色区域を軽く押さえるのを、給紙感応器162が台座110の黒色区域を軽く押さえる、に変更することもできる。
【図面の簡単な説明】
【００１６】
【図１】従来自動紙送り器給紙感知機構の断面図である。
【図２】図1の自動紙送り器給紙感知機構の台座立体図である。
【図３】図1の自動紙送り器給紙感知機構のアーム台の立体図である。
【図４】本考案の自動紙送り器給紙感知機構の断面図である。
【図５】図4の自動紙送り器給紙感知機構の支えの立体図である。
【図６】図4の自動紙送り器給紙感知機構の支えと信号発生器アセンブリーの設置立体図である。
【図７】図4の自動紙送り器給紙感知機構の信号発生器アセンブリー立体図の中の、給紙感知器の局部の断面図である。
【図８】図7に示す信号発生器アセンブリーの別の角度から見た立体図である。
【符号の説明】
【００１７】
1’  紙
150’  紙質量感応器
110’  台座
111’  溝
120’  支えスタンド
170’  揺動台
171’  動力アーム
172’  揺動アーム
180’  給紙感応器
190’  ねじりばね
1      紙
110    台座
120    支えスタンド
121    発生器耳
122    発生器穴
123    ねじりばねフック穴
124    ねじりばねフック通り穴
150    信号発生器アセンブリー
151    固定台
152    ねじりばね軸
153    ねじりばねブロック
154    ねじりばね端部挿入穴
155    ピボットブロック
156    ピボット
157    円柱体
158    紙押さえアーム
159    紙押さえ部
161    感応器固定槽
162    給紙感応器
163    発光部
164    感光部
165    軸柱
166    逸脱防止支えブロック
167    逸脱防止土台ブロック
168    逸脱防止ブロック
169    短ピボット
190    ねじりばね
191    フック
200    取紙ルート
300    紙回転ルート
【図１】
0003137451.tif 000003
【図２】
0003137451.tif 000004
【図３】
0003137451.tif 000005
【図４】
0003137451.tif 000006
【図５】
0003137451.tif 000007
【図６】
0003137451.tif 000008
【図７】
0003137451.tif 000009
【図８】
0003137451.tif 000010